【手続補正書】
【提出日】平成18年10月20日(2006.10.20)
【手続補正１】
【補正対象書類名】明細書
【補正対象項目名】特許請求の範囲
【補正方法】変更
【補正の内容】
【特許請求の範囲】
【請求項１】  外装に誤消去防止機構を有する第１の記録媒体と外装に誤消去防止機構を有しない第２の記録媒体とを選択的に装着可能な記録装置であって、
前記誤消去防止機構の状態を検知する誤消去防止状態検知手段と、
装着された記録媒体が前記第１の記録媒体か前記第２の記録媒体かを判別する媒体判別手段とを有し、
装着された記録媒体が前記第１の記録媒体である場合は、該装着された記録媒体への書き込み及び消去の判断を前記誤消去防止状態検知手段の検知結果を用いて行い、装着された記録媒体が前記第２の記録媒体である場合は、該装着された記録媒体への書き込み及び消去の判断を前記誤消去防止状態検知手段の検知結果を用いないで行うことを特徴とする記録装置。
【請求項２】  外装に誤消去防止機構を有する第１の記録媒体と外装に誤消去防止機構を有しないで内部に誤消去防止するか否かの状態を示す誤消去防止レジスタ手段を有する第２の記録媒体とを選択的に装着可能な記録装置であって、
前記外装の誤消去防止機構の状態を検知する誤消去防止状態検知手段と、
装着された記録媒体の内部の誤消去防止レジスタ手段の状態を検知する誤消去防止レジスタ検知手段とを有し、
前記誤消去防止状態検知手段の検知結果または前記誤消去防止レジスタ検知手段の検知結果のいずれかが誤消去防止状態である場合は、装着された記録媒体への書き込み及び消去を禁止することを特徴とする記録装置。
【請求項３】  さらに表示部を有し、
前記表示部は、前記外装の誤消去防止機構によって誤消去防止状態にあるのか、記録媒体内部の誤消去防止レジスタ手段によって誤消去防止状態にあるのかを判別可能に表示することを特徴とする請求項２記載の記録装置。
【請求項４】  外装に誤消去防止機構を有する第１の記録媒体と外装に誤消去防止機構を有しない第２の記録媒体とを選択的に装着可能な記録装置であって、
装着された記録媒体の外装の誤消去防止機構に基づいて誤消去防止設定の状態を検知する外部検知手段と、
装着された記録媒体内の情報に基づいて誤消去防止設定の状態を検知する内部検知手段と、
装着された記録媒体が前記第１の記録媒体か前記第２の記録媒体かを判別する媒体判別手段とを有し、
装着された記録媒体が前記第１の記録媒体である場合は、前記外部検知手段及び前記内部検知手段の各検知結果に従って消去動作を行い、装着された記録媒体が前記第２の記録媒体である場合は、前記内部検知手段の検知結果に従って消去動作を行うことを特徴とする記録装置。
【請求項５】  さらに表示部を有し、
前記表示部は、前記外装の誤消去防止機構によって誤消去防止状態にあるのか、前記記録媒体内の情報によって誤消去防止状態にあるのかを判別可能に表示することを特徴とする請求項４記載の記録装置。
【請求項６】  前記内部検知手段は、装着された記録媒体内のレジスタの情報を読み込むことによって前記誤消去防止設定の状態を検知することを特徴とする請求項４または５に記載の記録装置。
【請求項７】  前記内部検知手段は、装着された記録媒体内に記録されたファイルの管理情報を読み込むことによって前記誤消去防止設定の状態を検知することを特徴とする請求項４乃至６のいずれか１項に記載の記録装置。
【手続補正２】
【補正対象書類名】明細書
【補正対象項目名】００１３
【補正方法】変更
【補正の内容】
【００１３】
【課題を解決するための手段】
上記目的を達成するため、本発明では、記録装置を次の（１）〜（７）のとおりに構成する。
（１）外装に誤消去防止機構を有する第１の記録媒体と外装に誤消去防止機構を有しない第２の記録媒体とを選択的に装着可能な記録装置であって、
前記誤消去防止機構の状態を検知する誤消去防止状態検知手段と、
装着された記録媒体が前記第１の記録媒体か前記第２の記録媒体かを判別する媒体判別手段とを有し、
装着された記録媒体が前記第１の記録媒体である場合は、該装着された記録媒体への書き込み及び消去の判断を前記誤消去防止状態検知手段の検知結果を用いて行い、装着された記録媒体が前記第２の記録媒体である場合は、該装着された記録媒体への書き込み及び消去の判断を前記誤消去防止状態検知手段の検知結果を用いないで行う記録装置。
（２）外装に誤消去防止機構を有する第１の記録媒体と外装に誤消去防止機構を有しないで内部に誤消去防止するか否かの状態を示す誤消去防止レジスタ手段を有する第２の記録媒体とを選択的に装着可能な記録装置であって、
前記外装の誤消去防止機構の状態を検知する誤消去防止状態検知手段と、
装着された記録媒体の内部の誤消去防止レジスタ手段の状態を検知する誤消去防止レジスタ検知手段とを有し、
前記誤消去防止状態検知手段の検知結果または前記誤消去防止レジスタ検知手段の検知結果のいずれかが誤消去防止状態である場合は、装着された記録媒体への書き込み及び消去を禁止する記録装置。
（３）さらに表示部を有し、
前記表示部は、前記外装の誤消去防止機構によって誤消去防止状態にあるのか、記録媒体内部の誤消去防止レジスタ手段によって誤消去防止状態にあるのかを判別可能に表示する前記（２）記載の記録装置。
（４）外装に誤消去防止機構を有する第１の記録媒体と外装に誤消去防止機構を有しない第２の記録媒体とを選択的に装着可能な記録装置であって、
装着された記録媒体の外装の誤消去防止機構に基づいて誤消去防止設定の状態を検知する外部検知手段と、
装着された記録媒体内の情報に基づいて誤消去防止設定の状態を検知する内部検知手段と、
装着された記録媒体が前記第１の記録媒体か前記第２の記録媒体かを判別する媒体判別手段とを有し、
装着された記録媒体が前記第１の記録媒体である場合は、前記外部検知手段及び前記内部検知手段の各検知結果に従って消去動作を行い、装着された記録媒体が前記第２の記録媒体である場合は、前記内部検知手段の検知結果に従って消去動作を行う記録装置。
（５）さらに表示部を有し、
前記表示部は、前記外装の誤消去防止機構によって誤消去防止状態にあるのか、前記記録媒体内の情報によって誤消去防止状態にあるのかを判別可能に表示する前記（４）記載の記録装置。
（６）前記内部検知手段は、装着された記録媒体内のレジスタの情報を読み込むことによって前記誤消去防止設定の状態を検知する前記（４）または（５）に記載の記録装置。
（７）前記内部検知手段は、装着された記録媒体内に記録されたファイルの管理情報を読み込むことによって前記誤消去防止設定の状態を検知する前記（４）乃至（６）のいずれか１項に記載の記録装置。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００６９
【補正方法】変更
【補正の内容】
【００６９】
次に、本体側でカードがタイプＡであるかタイプＢであるかを制御する判別方法について述べる。この方法として、例えばカード内部のレジスタ（仮にカードインフォメーションレジスタという）にどんな種類のタイプが記載されている部分があって、本体はカードと通信を行ってそのカードインフォメーションレジスタ（誤消去防止レジスタ手段）を読み込むことで判断すればよい。
【手続補正６】
【補正対象書類名】明細書
【補正対象項目名】００９６
【補正方法】変更
【補正の内容】
【００９６】
【発明の効果】
以上説明したように、本発明によれば、面倒な設定を行うことなく、記録媒体の書き込み、消去を適切に制御することができる。
また、第１の発明によれば、外装に誤消去防止機構を有する記録媒体を使用した場合、内部フラグの存在を知る必要がなく、誤消去防止するしないは外装機構だけとなるので、わかりやすい。
【手続補正７】
【補正対象書類名】図面
【補正対象項目名】図３
【補正方法】変更
【補正の内容】
【図３】
2001126039.tif 000001